【手続補正書】
【提出日】平成19年4月23日(2007.4.23)
【手続補正１】
【補正対象書類名】明細書
【補正対象項目名】特許請求の範囲
【補正方法】変更
【補正の内容】
【特許請求の範囲】
【請求項１】  電子吸引性の置換基をα位に有するエチレン性不飽和二重結合を分子内に有する水溶性の第１の化合物を含有する第１の液体組成物と、
該第１の化合物との共存下で該第１の化合物に付加する活性水素を有する水溶性の第２の化合物を含有する第２の液体組成物とを備えていることを特徴とするインクセット。
【請求項２】  該第１の化合物がエチレン性不飽和二重結合を２個以上有する化合物である請求項１に記載のインクセット。
【請求項３】  該第２の化合物が該第１の化合物に付加する活性水素を２個以上有する化合物である請求項１または２に記載のインクセット。
【請求項４】  該第２の化合物が１級アミノ基または２級アミノ基を２個以上有する化合物である請求項１〜３のいずれかに記載のインクセット。
【請求項５】  該第１の化合物が下記式Ａ−１〜Ａ−１２から選ばれる少なくとも１つであり、かつ該第２の化合物が下記式Ｂ−１〜Ｂ−１７から選ばれる少なくとも１つである請求項１〜４のいずれかに記載のインクセット。
【外１】
2001181540.tif 000001
【外２】
2001181540.tif 000002
【外３】
2001181540.tif 000003
【外４】
2001181540.tif 000004
【外５】
2001181540.tif 000005
【請求項６】  該第１の液体組成物及び該第２の液体組成物の少なくとも一方が更に色材を含む請求項１〜５のいずれかに記載のインクセット。
【請求項７】  該第１の液体組成物及び該第２の液体組成物がともに黒インクである請求項６に記載のインクセット。
【請求項８】  該第１の液体組成物及び第２の液体組成物の一方がカラーインクであり、他方が黒インクである請求項６に記載のインクセット。
【請求項９】  該インクセットが更に色材を含むインクを備えている請求項１〜５のいずれかに記載のインクセット。
【請求項１０】  該インクが黒インクである請求項９に記載のインクセット。
【請求項１１】  該インクがカラーインクである請求項９に記載のインクセット。
【請求項１２】  （ｉ）請求項６〜８のいずれかに記載のインクセットを用意する工程；及び
（ｉｉ）該インクセットが備える第１の液体組成物と第２の液体組成物を記録媒体に、該第１及び第２の液体組成物とが混合もしくは接触する様に付与する工程、
を有することを特徴とする印刷方法。
【請求項１３】  前記工程（ｉｉ）において、第１の液体組成物及び第２の液体組成物の少なくとも一方をインクジェット法によって記録媒体に付与する請求項１２記載の印刷方法。
【請求項１４】  （ｉ）請求項９〜１１のいずれかに記載のインクセットを用意する工程；
（ｉｉ）該インクセットが備える第１の液体組成物及び第２の液体組成物を記録媒体に、該第１及び第２の液体組成物が混合もしくは接触する様に付与する工程；及び
（ｉｉｉ）該インクを該第１の液体組成物または該第２の液体組成物と混合する様に記録媒体に付与する工程、を有することを特徴とする印刷方法。
【請求項１５】  前記工程（ｉｉ）において、該第１の液体組成物及び第２の液体組成物の少なくとも一方をインクジェット法によって記録媒体に付与する請求項１４記載の印刷方法。
【請求項１６】  前記工程（ｉｉｉ）において、該インクをインクジェット法によって記録媒体に付与する請求項１４または１５に記載の印刷方法。
【請求項１７】  下記式Ａ−１〜Ａ−１２から選ばれる少なくとも１つの化合物を水性媒体中に含むことを特徴とするインク。
【外６】
2001181540.tif 000006
【外７】
2001181540.tif 000007
【外８】
2001181540.tif 000008
【請求項１８】  下記式Ｂ−１〜Ｂ１７から選ばれる少なくとも１つの化合物を水性媒体中に含むことを特徴とするインク。
【外９】
2001181540.tif 000009
【外１０】
2001181540.tif 000010
【請求項１９】  記録媒体上に色材を含む着色部を有する印刷物であって、該着色部は、電子吸引性の置換基をα位に有するエチレン性不飽和二重結合を分子内に有する水溶性の第１の化合物を含有する第１の液体組成物と、
該第１の化合物との共存下で該第１の化合物に付加する活性水素を有する水溶性の第２の化合物を含有する第２の液体組成物との反応物を更に含むことを特徴とする印刷物。
【請求項２０】  請求項６〜８のいずれかに記載のインクセットと、該インクセットが備える第１の液体組成物及び第２の液体組成物とを各々別個に記録媒体に向けて吐出する手段、及び該第１の液体組成物と該第２の液体組成物とが該記録媒体上で液体状態で互いに接触する様に制御する手段を備えていることを特徴とする印刷装置。
【請求項２１】  請求項９〜１１のいずれかに記載のインクセットと、該インクセットが備える第１の液体組成物、第２の液体組成物及びインクとを各々別個に記録媒体に向けて吐出する手段、及び該第１の液体組成物、第２の液体組成物および該インクとが記録媒体上で液体状態で互いに接触する様に制御する手段を備えていることを特徴とする印刷装置。
【請求項２２】  電子吸引性の置換基をα位に有するエチレン性不飽和二重結合を分子内に有する水溶性の第１の化合物を含有する第１の液体組成物を収容している第１の液体収容部と、該第１の化合物との共存下で該第１の化合物に付加する活性水素を有する水溶性の第２の化合物を含有する第２の液体組成物を収容している第２の液体収容部とを備えているインクカートリッジであって、該第１の液体組成物及び該第２の液体組成物の少なくとも一方がさらに色材を含み、該第１の液体組成物及び該第２の液体組成物とを各々個別に吐出させるインクジェットヘッドに着脱可能に構成されていることを特徴とするインクカートリッジ。
【請求項２３】  電子吸引性の置換基をα位に有するエチレン性不飽和二重結合を分子内に有する水溶性の第１の化合物を含有する第１の液体組成物を収容している第１の液体収容部、該第１の化合物の共存下で該第１の化合物に付加する活性水素を有する第２の化合物を含有する第２の液体組成物を収容している第２の液体収容部、及び色材を含むインクを収容しているインク収容部とを備えているインクカートリッジであって、該第１の液体組成物、該第２の液体組成物及び該インクとを各々個別に吐出させるインクジェットヘッドに着脱可能に構成されていることを特徴とするインクカートリッジ。
【請求項２４】  電子吸引性の置換基をα位に有するエチレン性不飽和二重結合を分子内に有する水溶性の第１の化合物を含有する第１の液体組成物を収容している第１の液体収容部と、該第１の液体収容部に収容されている該第１の液体組成物を吐出させるインクジェットヘッド、
該第１の化合物との共存下で該第１の化合物に付加する活性水素を有する水溶性の第２の化合物を含有する第２の液体組成物を収容している第２の液体収容部と、該第２の液体収容部に収容されている該第２の液体組成物を吐出させるインクジェットヘッドを備えている記録ユニットであって、
該第１の液体組成物及び該第２の液体組成物の少なくとも一方が更に色材を含んでいることを特徴とする記録ユニット。
【請求項２５】  電子吸引性の置換基をα位に有するエチレン性不飽和二重結合を分子内に有する水溶性の第１の化合物を含有する第１の液体組成物を収容している第１の液体収容部と、該第１の液体収容部に収容されている該第１の液体組成物を吐出させるインクジェットヘッド、
該第１の化合物の共存下で該第１の化合物に付加する活性水素を有する第２の化合物を含有する第２の液体組成物を収容している第２の液体収容部と、該第２の液体収容部に収容されている該第２の液体組成物を吐出させるインクジェットヘッド、及び
色材を含むインクを収容しているインク収容部と、該インク収容部に収容されている該インクを吐出させるインクジェットヘッドとを備えていることを特徴とする記録ユニット。
【請求項２６】  （ｉ）請求項１〜５のいずれかに記載のインクセットを用意する工程；及び
（ｉｉ）該インクセットが備える第１の液体組成物と第２の液体組成物を各々、記録媒体に、該第１及び第２の液体組成物とが混合もしくは接触する様に付与し、該第１の化合物及び該第２の化合物とを反応させる工程、
を有することを特徴とする高分子化合物膜を形成する方法。
【請求項２７】  前記工程（ｉｉ）において、該第１の液体組成物及び第２の液体組成物の少なくとも一方をインクジェット法によって記録媒体に付与する請求項２６記載の方法。
【手続補正２】
【補正対象書類名】明細書
【補正対象項目名】００１６
【補正方法】変更
【補正の内容】
【００１６】
【課題を解決するための手段】
上記の目的を達成することのできるインクセットの一実施態様は、電子吸引性の置換基をα位に有するエチレン性不飽和二重結合を分子内に有する水溶性の第１の化合物を含有する第１の液体組成物と、該第１の化合物との共存下で該第１の化合物に付加する活性水素を有する水溶性の第２の化合物を含有する第２の液体組成物とを備えていることを特徴とする。
また上記の目的を達成することのできるインクセットの他の実施態様は、電子吸引性の置換基をα位に有するエチレン性不飽和二重結合を分子内に有する水溶性の第１の化合物を含有する第１の液体組成物と、該第１の化合物との共存下で該第１の化合物に付加する活性水素を有する水溶性の第２の化合物を含有する第２の液体組成物とを備え、該第１の液体組成物及び該第２の液体組成物の少なくとも一方が更に色材を含むことを特徴とするものである。
【手続補正３】
【補正対象書類名】明細書
【補正対象項目名】００２０
【補正方法】変更
【補正の内容】
【００２０】
また上記の目的を達成することのできるインクの一実施態様は、下記式Ａ−１〜Ａ−１２から選ばれる少なくとも１つの化合物を水性媒体中に含むことを特徴とする。
【手続補正４】
【補正対象書類名】明細書
【補正対象項目名】００２４
【補正方法】変更
【補正の内容】
【００２４】
また上記の目的を達成することのできるインクの一実施態様は、下記式Ｂ−１〜Ｂ−１７から選ばれる少なくとも１つの化合物を水性媒体中に含むことを特徴とするものである。
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００３８
【補正方法】削除
【補正の内容】
【手続補正８】
【補正対象書類名】明細書
【補正対象項目名】００３９
【補正方法】削除
【補正の内容】
【手続補正９】
【補正対象書類名】明細書
【補正対象項目名】００４０
【補正方法】削除
【補正の内容】
【手続補正１０】
【補正対象書類名】明細書
【補正対象項目名】００４１
【補正方法】削除
【補正の内容】
【手続補正１１】
【補正対象書類名】明細書
【補正対象項目名】００４２
【補正方法】削除
【補正の内容】
【手続補正１２】
【補正対象書類名】明細書
【補正対象項目名】００４３
【補正方法】削除
【補正の内容】
【手続補正１３】
【補正対象書類名】明細書
【補正対象項目名】００４４
【補正方法】削除
【補正の内容】
【手続補正１４】
【補正対象書類名】明細書
【補正対象項目名】００４５
【補正方法】削除
【補正の内容】
【手続補正１５】
【補正対象書類名】明細書
【補正対象項目名】００４６
【補正方法】削除
【補正の内容】